(57)【要約】【課題】給油所の作業員の記憶を頼りにすることなくエラーが発生した時の状況が把握でき、点検及び修理のメンテナンス性が向上できる給油装置を提供する。【解決手段】給油所に設置される給油装置（１）において、給油装置（１）の制御装置（２６）には、操作データを記憶する操作データ記憶手段（３４）と、エラーデータを記憶するエラーデータ記憶手段（３５）と、発生した操作データ及びエラーデータを収集するデータ収集手段（３６）と、日時データを発生する計時手段（３８）と、が具備され、前記操作データ記憶手段（３４）にはデータ収集手段（３６）で収集され操作コードに対応した操作データが日時データと共に記憶され、前記エラーデータ記憶手段（３５）にはデータ収集手段（３６）で収集されエラーコードに対応したエラーデータが、計時手段（３８）の日時データと共に記憶される。【選択図】図２
2007106502.tif 000002
【特許請求の範囲】
【請求項１】
給油所に設置される給油装置（１）において、給油装置（１）の制御装置（２６）には、操作データを記憶する操作データ記憶手段（３４）と、エラーデータを記憶するエラーデータ記憶手段（３５）と、発生した操作データ及びエラーデータを収集するデータ収集手段（３６）と、日時データを発生する計時手段（３８）と、が具備され、前記操作データ記憶手段（３４）にはデータ収集手段（３６）で収集され操作コードに対応した操作データが日時データと共に記憶され、前記エラーデータ記憶手段（３５）にはデータ収集手段（３６）で収集されエラーコードに対応したエラーデータが、計時手段（３８）の日時データと共に記憶されることを特徴とした給油装置。
【請求項２】
前記エラーデータは、感震センサ（２９）、ピットリークセンサ（３０）及び油種センサ（３１）からの検知信号が入力される毎にエラーデータ記憶手段（３５）に入力される請求項１の給油装置。
【発明の詳細な説明】
【技術分野】
【０００１】
本発明は、給油所に設置される給油装置で、特にメンテナンス性を向上できるようにした給油装置に関する。
【背景技術】
【０００２】
給油所に設置される給油装置には、ポンプを駆動するモータの動作、及び流量計のパルス発信器からの流量信号を積算して表示器に表示する動作等を制御する制御装置が設けられている。そして、制御装置は同時に、各部の接続状態、流量信号のエラー、モータの動作異常等が発生した時に、エラー内容に対応したエラーコードを累積的に記憶し、キーボードの操作によりエラーコードを発生順に順次表示器に表示するか、或いはＰＯＳのプリンタで印字し、点検及び修理時のメンテナンス情報として利用している。
【０００３】
しかしながら、その場でエラーコードを表示したり印字する方法では、どのような操作及び状況でエラーが発生したのかを特定するのに給油所の作業員の記憶を頼りにすることになり、正確な情報が得難く、必ずしも適切な処置ができなかった。
【０００４】
そのために、点検及び修理に対しての対応が遅れ、顧客である給油所の営業に支障が生じ、顧客の信用を失うほか、時間的及び金銭的に多くの犠牲を払うことがある。
【０００５】
自動車等の荷台に載置し灯油等の計量給油を行う装置において異常データを表示する技術（特許文献１）があるが、当該技術はそれ自体有効であるが、自動車等に載置される給油装置に関するものであり、また流量信号に基づく給油動作のチェックによりエラー信号を出力するものであって、給油所に設置される給油装置に適合せず、また給油操作との関連でエラーを迅速に把握して補修を行うことができない。また、原子力発電等において制御盤の操作等の監視装置に関する技術（特許文献２）があるが、当該技術は有効であるが、原子力発電等に関するものであるとともに、操作員による配電盤の誤操作等を監視するものであって、給油所に設置される給油装置のエラーを検出することはできない。
【特許文献１】特開昭６２−１６３９９号公報
【特許文献２】特開平２−２８４２１２号公報
【発明の開示】
【発明が解決しようとする課題】
【０００６】
本発明は、このような従来技術の問題点に鑑みて提案されたもので、給油所の作業員の記憶を頼りにすることなくエラーが発生した状況が把握でき、点検及び修理のメンテナンス性が向上できる給油装置を提供することを目的としている。          
【課題を解決するための手段】
【０００７】
本発明は、給油所に設置される給油装置１において、給油装置１の制御装置２６には、操作データを記憶する操作データ記憶手段３４と、エラーデータを記憶するエラーデータ記憶手段３５と、発生した操作データ及びエラーデータを収集するデータ収集手段３６と、日時データを発生する計時手段３８と、が具備され、前記操作データ記憶手段３４にはデータ収集手段３６で収集され操作コードに対応した操作データが日時データと共に記憶され、前記エラーデータ記憶手段３５にはデータ収集手段３６で収集されエラーコードに対応したエラーデータが、計時手段３８の日時データと共に記憶される。
【０００８】
そして、前記エラーデータは、感震センサ２９、ピットリークセンサ３０及び油種センサ３１からの検知信号が入力される毎にエラーデータ記憶手段３５に入力される。
【発明の効果】
【０００９】
本発明の給油装置は、以下の効果を有する。
（１）  操作データ及びエラーデータを日時と共に時系列的に把握できるので、エラーが発生した操作状況が特定でき、点検及び修理に対しての対応が迅速になり、メンテナンスの効率化が計れる。
（２）  操作データ及びエラーデータが日時と共に時系列的に把握できるので、各機器の利用率が得られ、事前対処することにより、エラーの発生を未然に防止することができる。
（３）  操作データおよびエラーデータの両者を出力するので、各種操作とエラーとの関連の有無を把握して、事後の対策に生かすことができる。
【発明を実施するための最良の形態】
【００１０】
以下、図面を参照して、本発明の実施の形態を説明する。図１、２に示すように、給油装置１は、下部ケース２、上部ケース３、及び頂部ケース４で構成され、各ケースは支柱５で一体に接続されている。給油装置１はピット６上に設けられ、複数油種、例えばレギュラーＡ、ハイオクＢ、軽油Ｃの３油種の給油系統が組み込まれている。
【００１１】
ピット６内には図示しないレギュラーの貯油タンクに接続された送油管７が配設され、送油管７は給油管８に接続されている。給油管８は下部ケース２内に配設され、ポンプ９、及び流量計１０が介装され、ポンプ９は給油モータ１１で駆動され、流量計１０にはパルス発信器１２が設けられている。給油管８は支柱５内を通って頂部ケース４へ配設されて給油ホース１３に接続され、給油ホース１３の先端には給油ノズル１４が取り付けられている。給油ノズル１４は下部ケース２に設けられたノズル掛け１５に着脱され、ノズル掛け１５にはノズルスイッチ１６が設けられている。
【００１２】
ハイオクＢ及び軽油Ｃの給油系統は、上述したレギュラーの給油系統Ａと同様であるので説明を省略する。
【００１３】
給油装置１に設けられたデータ入出力装置２０には、給油量を表示する給油量表示器２１、各種のデータを表示するデータ表示器２２、各種のデータを入力するキーボード２３、各種のカードを読み取るカードリーダ２４、給油伝票及び後述する履歴データを印字するプリンタ２５が設けられ、これらは制御装置26に接続されている。また、制御装置２６には、後述する油種センサの判断機能を解除する油種検知解除スイッチ２７、非常時に給油を停止する緊急停止スイッチ２８が接続されている。さらに制御装置２６には、一定以上の震度を検知する感震センサ２９、ピット６内に設けられ、油漏れを検知するピットリークセンサ３０、給油ノズル１４に設けられ、油種を検知する油種センサ３１が接続されている。
【００１４】
制御装置２６には、通常の給油動作を制御する給油制御部３２と、給油履歴の記憶を制御する履歴制御部３３が具備され、履歴制御部３３には、操作データを操作データに対応した操作コードで記憶する操作データ記憶手段３４と、エラーデータをエラーデータに対応したエラーコードで記憶するエラーデータ記憶手段３５と、操作データ及びエラーデータを収集するデータ収集手段３６と、各センサ２９、３０、３１の状態を監視する監視手段３７と、計時手段３８とが具備されている。
【００１５】
このように構成された給油装置１は、信号線４０を介してＰＯＳ４１に接続され、ＰＯＳ４１は信号線４０を介して複数の他の給油装置に接続されている。
【００１６】
自動車へ給油をするには、カードリーダ２４で顧客のカードを読み、キーボード２３から給油量等の給油データを入力し、給油ノズル１４をノズル掛け１５から外してノズルスイッチ１６からオン信号が制御装置２６に入力すると、制御装置２６の給油制御部３２は給油量表示器２１に表示されていた前回の給油量を帰零する。そして、給油ノズル１４を自動車の燃料タンクへ挿入し、給油ノズル１４に設けられている油種センサ３１の判断が油種ＯＫであると、給油モータ１１を起動してポンプ９を駆動する。給油ノズル１４の弁を開くと給油が開始され、流量計１０のパルス発信器１２から入力する流量信号は積算されて給油量表示器２１に表示される。燃料タンクが満タンになると給油ノズル１４の弁が閉じて給油が終わり、給油ノズル１４をノズル掛け１５に掛けてノズルスイッチ１６からオフ信号が制御装置２６に入力すると、給油モータ１１が消勢してポンプ９の駆動が停止する。
【００１７】
なお、油種センサ３１が異油種と判断したが、油種の誤検知であると確認された場合は、油種検知解除スイッチ２７を押せば給油が行われる。また、給油操作を間違えて危険を感じた場合には、緊急停止スイッチ２８を押せば給油動作は停止される。
【００１８】
次に、図３、４のフロー図、及び図５に基づいて、制御装置２６の履歴制御部３３の制御の態様を説明する。履歴制御部３３のデータ収集手段３６は動作が発生する毎に、監視手段３７は各センサ２９、３０から検知信号が入力する毎に（ＳＴ１のＹＥＳ）、計時手段３８の日時を操作データ記憶手段３４及びエラーデータ記憶手段３５に記憶する（ＳＴ２）。そして、発生した動作にエラーが含まれていない場合には（ＳＴ３のＮＯ）、発生した動作の事象内容に対応した操作コードを操作データ記憶手段３４に記憶し（ＳＴ４）、発生した動作にエラーが含まれている場合、又は検知信号が入力した場合は（ＳＴ３のＹＥＳ）、発生した動作のエラー情報、又は受けた検知信号に対応したエラーコードをエラーデータ記憶手段３５に記憶する（ＳＴ５）。
【００１９】
ステップＳＴ１で述べた発生した動作とは、給油操作に伴って発生する動作で、カードリーダ２４によるカードの読取動作、キーボード２３による給油データの入力動作、給油ノズル１４のノズル掛け１５への着脱によるノズルスイッチ１６の開閉動作、給油量表示器２１の帰零動作、給油ノズル１４に設けられている油種センサ３１の判断動作、給油モータ１１の起動動作、ポンプ９の駆動動作、給油ノズル１４の弁開閉動作、流量計１０のパルス発信器１２のパルス発信動作、給油量表示器２１の表示動作、油種検知解除スイッチ２７の押圧動作、緊急停止スイッチ２８の押圧動作等である。
【００２０】
また、ステップＳＴ１で述べた検知信号とは、地震又は事故による衝撃により感震センサ２９が振動を検知したときの検知信号、油漏れが発生してピットリークセンサ３０が油を検知した時の検知信号等である。
上述したように、操作データは操作データ記憶手段３４に時系列的に記憶され、エラーデータはエラーデータ記憶手段３５に時系列的に記憶される。そして、エラーが発生したときに記憶データを出力するには、出力指示手段であるカードリーダ２４で責任者カードを読み取り、キーボード２３を操作して制御装置２６をメンテナンスモードにし（ＳＴ６のＹＥＳ）、ＰＯＳ４１との接続を切ると（ＳＴ７）、操作データ及びエラーデータはデータ表示器２２に表示され、プリンタ２５で印字される（ＳＴ８）。そして、出力されたデータに基づいて給油装置１を修理し、修理が完了したら（ＳＴ９のＹＥＳ）、ＰＯＳ４１と接続し（ＳＴ１０）、操作データ及びエラーデータを消去する（ＳＴ１１）。
【００２１】
データ表示器２２に表示され、プリンタ２５で印字される操作データ及びエラーデータは、図５に示すような様式である。図５において、符号４２は発生した日時で、符号４３は操作データで、符号４４はエラーデータで、符号４５はエラーコードで、符号４６は操作コードである。このようにデータは時系列的に出力されるので、メンテナンス性を飛躍的に向上することができる。
なお、給油装置１をＰＯＳ４１と接続したままとし、操作データ及びエラーデータをＰＯＳ４１の表示器に表示し、ＰＯＳ４１のプリンタで印字するようにしてもよい。
【図面の簡単な説明】
【００２２】
【図１】本発明の給油装置の正面図。
【図２】本発明の給油装置のブロック図。
【図３】履歴制御手段の履歴を記憶する制御のフロー図。
【図４】履歴制御手段の履歴を出力する制御のフロー図。
【図５】出力される履歴を示す図。
【符号の説明】
【００２３】
１・・・給油装置
２・・・下部ケース
３・・・上部ケース
４・・・頂部ケース
５・・・支柱
６・・・ピット
７・・・送油管
８・・・給油管
９・・・ポンプ
１０・・・流量計
１１・・・給油モータ
１２・・・パルス発信器
１３・・・給油ホース
１４・・・給油ノズル
１５・・・ノズル掛け
１６・・・ノズルスイッチ
２０・・・データ入出力装置
２１・・・給油量表示器
２２・・・データ表示器
２３・・・キーボード
２４・・・カードリーダ
２５・・・プリンタ
２６・・・制御装置
２７・・・油種検知解除スイッチ
２８・・・緊急停止スイッチ
２９・・・感震センサ
３０・・・ピットリークセンサ
３１・・・油種センサ
３２・・・給油制御部
３３・・・履歴制御部
３４・・・操作データ記憶手段
３５・・・エラーデータ記憶手段
３６・・・データ収集手段
３７・・・監視手段
３８・・・計時手段
４０・・・信号線
４１・・・ＰＯＳ
【図１】
2007106502.tif 000003
【図２】
2007106502.tif 000004
【図３】
2007106502.tif 000005
【図４】
2007106502.tif 000006
【図５】
2007106502.tif 000007